(57)【要約】【課題】心房細動をより正確に検出することが可能な心房細動検出装置、心房細動検出方法及びプログラムを提供する。【解決手段】心房細動検出装置は、複数の脈波を表す脈波データを取得し、脈波データに基づいて、脈拍数を特定し、脈波データに基づいて、複数の脈波の各々のピーク振幅値Ａｐを算出し、算出された複数のピーク振幅値Ａｐに基づいて、ピーク振幅値ＡｐのばらつきＤａを算出し、脈波データに基づいて、複数の脈波の各々のピーク間時間間隔Ｔｐを算出し、算出された複数のピーク間時間間隔Ｔｐに基づいて、ピーク間時間間隔ＴｐのばらつきＤｔを算出し、特定された脈拍数と、ばらつきＤａと、ばらつきＤｔに基づいて、脈波データが心房細動を示しているかを判定する。【選択図】図２
2018102518.tif 000002
【特許請求の範囲】
【請求項１】
プロセッサと、
コンピュータ可読命令を記憶するメモリと、を備えた心房細動検出装置であって、
前記コンピュータ可読命令が前記プロセッサにより実行されると、前記心房細動検出装置は、
複数の脈波を表す脈波データを取得し、
前記脈波データに基づいて、脈拍数を特定し、
前記脈波データに基づいて、前記複数の脈波の各々の脈波振幅指標を算出し、
前記算出された複数の脈波振幅指標に基づいて、前記脈波振幅指標のばらつきを算出し、
前記脈波データに基づいて、前記複数の脈波の各々の脈波間隔指標を算出し、
前記算出された複数の脈波間隔指標に基づいて、前記脈波間隔指標のばらつきを算出し、
前記特定された脈拍数と、前記算出された脈波振幅指標のばらつきと、前記算出された脈波間隔指標のばらつきとに基づいて、前記脈波データが心房細動を示しているかを判定する、
心房細動検出装置。
【請求項２】
前記特定された脈拍数が第１の閾値を超えたかを判定し、
前記算出された脈波振幅指標のばらつきが第２の閾値を超えたかを判定し、
前記算出された脈波間隔指標のばらつきが第３の閾値を超えたかを判定し、
前記特定された脈拍数が前記第１の閾値を超えており、前記算出された脈波振幅指標のばらつきが前記第２の閾値を超えており、且つ前記算出された脈波間隔指標のばらつきが前記第３の閾値を超えていると判定した場合に、前記脈波データが心房細動を示していると判定する、
請求項１に記載の心房細動検出装置。
【請求項３】
前記複数の脈波振幅指標の標準偏差を算出し、
前記複数の脈波振幅指標の平均値を算出し、
前記算出された標準偏差を前記算出された平均値で割ることで、
前記脈波振幅指標のばらつきを算出し、
前記複数の脈波間隔指標の標準偏差を算出し、
前記複数の脈波間隔指標の平均値を算出し、
前記算出された標準偏差を前記算出された平均値で割ることで、
前記脈波間隔指標のばらつきを算出する、請求項１又は２に記載の心房細動検出装置。
【請求項４】
前記コンピュータ可読命令が前記プロセッサにより実行されると、前記心房細動検出装置は、前記特定された脈拍数と、前記算出された脈波振幅指標のばらつきと、前記算出された脈波間隔指標のばらつきとを２次元座標系又は３次元座標系に視覚的に表示する、請求項１から３のうちいずれか一項に記載の心房細動検出装置。
【請求項５】
前記心房細動検出装置は、前記算出された脈波振幅指標のばらつきと、前記算出された脈波間隔指標のばらつきとを一点として２次元座標系に視覚的に表示し、
前記心房細動検出装置は、
前記特定された脈拍数に基づいて、前記２次元座標系に表示された点の色を特定し、
前記算出された脈波振幅指標と前記算出された脈波間隔指標とに基づいて、前記２次元座標系に表示された点の座標を特定する、
請求項４に記載の心房細動検出装置。
【請求項６】
前記心房細動検出装置は、前記特定された脈拍数と、前記算出された脈波振幅指標のばらつきと、前記算出された脈波間隔指標のばらつきとを一点として３次元座標系に視覚的に表示し、
前記心房細動検出装置は、
前記特定された脈拍数と、前記算出された脈波振幅指標と、前記算出された脈波間隔指標とに基づいて、前記３次元座標系に表示された点の座標を特定する、
請求項４に記載の心房細動検出装置。
【請求項７】
前記脈波振幅指標は、ピーク振幅値であり、
前記脈波間隔指標は、隣接する脈波のピーク間時間間隔である、
請求項１から６のうちいずれか一項に記載の心房細動検出装置。
【請求項８】
（ａ）複数の脈波を表す脈波データを取得するステップと、
（ｂ）前記脈波データに基づいて、脈拍数を特定するステップと、
（ｃ）前記脈波データに基づいて、前記複数の脈波の各々の脈波振幅指標を算出するステップと、
（ｄ）前記算出された複数の脈波振幅指標に基づいて、前記脈波振幅指標のばらつきを算出するステップと、
（ｅ）前記脈波データに基づいて、前記複数の脈波の各々の脈波間隔指標を算出するステップと、
（ｆ）前記算出された複数の脈波間隔指標に基づいて、前記脈波間隔指標のばらつきを算出するステップと、
（ｇ）前記特定された脈拍数と、前記算出された脈波振幅指標のばらつきと、前記算出された脈波間隔指標のばらつきとに基づいて、前記脈波データが心房細動を示しているかを判定するステップと、
を含む、コンピュータによって実行される心房細動検出方法。
【請求項９】
前記ステップ（ｇ）は、
前記特定された脈拍数が第１の閾値を超えたかを判定するステップと、
前記算出された脈波振幅指標のばらつきが第２の閾値を超えたかを判定するステップと、
前記算出された脈波間隔指標のばらつきが第３の閾値を超えたかを判定するステップと、
前記特定された脈拍数が前記第１の閾値を超えており、前記算出された脈波振幅指標のばらつきが前記第２の閾値を超えており、且つ前記算出された脈波間隔指標のばらつきが前記第３の閾値を超えていると判定した場合に、前記脈波データが心房細動を示していると判定するステップと、
を含む、請求項８に記載の心房細動検出方法。
【請求項１０】
（ｈ）前記特定された脈拍数と、前記算出された脈波振幅指標のばらつきと、前記算出された脈波間隔指標のばらつきとを２次元座標系又は３次元座標系に視覚的に表示するステップをさらに含む、請求項８又は９に記載の心房細動検出方法。
【請求項１１】
前記ステップ（ｈ）では、前記算出された脈波振幅指標のばらつきと、前記算出された脈波間隔指標のばらつきとが一点として２次元座標系に視覚的に表示され、
前記ステップ（ｈ）は、
前記特定された脈拍数に基づいて、前記２次元座標系に表示された点の色を特定するステップと、
前記算出された脈波振幅指標と前記算出された脈波間隔指標とに基づいて、前記２次元座標系に表示された点の座標を特定するステップと、
を含む、請求項１０に記載の心房細動検出方法。
【請求項１２】
前記ステップ（ｈ）では、前記特定された脈拍数と、前記算出された脈波振幅指標のばらつきと、前記算出された脈波間隔指標のばらつきとが一点として３次元座標系に視覚的に表示され、
前記ステップ（ｈ）は、
前記特定された脈拍数と、前記算出された脈波振幅指標と、前記算出された脈波間隔指標とに基づいて、前記３次元座標系に表示された点の座標を特定するステップを含む、
請求項１０に記載の心房細動検出方法。
【請求項１３】
前記脈波振幅指標は、ピーク振幅値であり、
前記脈波間隔指標は、隣接する脈波のピーク間時間間隔である、
請求項８から１２のうちいずれか一項に記載の心房細動検出方法。
【請求項１４】
請求項８から１３のうちいずれか一項に記載の心房細動検出方法をコンピュータに実行させるためのプログラム。
【請求項１５】
請求項１４に記載のプログラムが記憶されたコンピュータ読取可能な記憶媒体。
【発明の詳細な説明】
【技術分野】
【０００１】
本開示は、心房細動検出装置及び心房細動検出方法に関する。また、本開示は、コンピュータに当該心房細動検出方法を実行させるためのプログラム及び当該プログラムが記憶されたコンピュータ読取可能な記憶媒体に関する。
【背景技術】
【０００２】
特許文献１は、脈波振幅と脈波間隔をそれぞれ算出し、脈波振幅と脈波間隔との積及び脈波振幅と脈波間隔の比を算出し、脈波振幅と脈波間隔との積及び脈波振幅と脈波間隔の比に基づいて、脈波が不整脈を示していることを判定する脈波計測装置を開示している。
【先行技術文献】
【特許文献】
【０００３】
【特許文献１】特許第５３３６８０３号公報
【発明の概要】
【発明が解決しようとする課題】
【０００４】
しかしながら、特許文献１に開示された脈波計測装置は、脈波が不整脈を示しているかを判定することができる一方、脈波が心室性期外収縮を示しているのか又は心房細動を示しているのかを判定することはできない。
【０００５】
本開示は、心房細動をより正確に検出することが可能な心房細動検出装置及び心房細動検出方法を提供する。さらに、本開示は、当該心房細動検出方法をコンピュータに実行させるためのプログラム及び当該プログラムが記憶されたコンピュータ読取可能な記憶媒体を提供する。
【課題を解決するための手段】
【０００６】
本開示の一態様に係る心房細動検出装置は、
プロセッサと、
コンピュータ可読命令を記憶するメモリと、を備え、
前記コンピュータ可読命令が前記プロセッサにより実行されると、前記心房細動検出装置は、
複数の脈波を表す脈波データを取得し、
前記脈波データに基づいて、脈拍数を特定し、
前記脈波データに基づいて、前記複数の脈波の各々の脈波振幅指標を算出し、
前記算出された複数の脈波振幅指標に基づいて、前記脈波振幅指標のばらつきを算出し、
前記脈波データに基づいて、前記複数の脈波の各々の脈波間隔指標を算出し、
前記算出された複数の脈波間隔指標に基づいて、前記脈波間隔指標のばらつきを算出し、
前記特定された脈拍数と、前記算出された脈波振幅指標のばらつきと、前記算出された脈波間隔指標のばらつきとに基づいて、前記脈波データが心房細動を示しているかを判定する。
【０００７】
また、本開示の一態様に係る心房細動検出方法は、
（ａ）複数の脈波を表す脈波データを取得するステップと、
（ｂ）前記脈波データに基づいて、脈拍数を特定するステップと、
（ｃ）前記脈波データに基づいて、前記複数の脈波の各々の脈波振幅指標を算出するステップと、
（ｄ）前記算出された複数の脈波振幅指標に基づいて、前記脈波振幅指標のばらつきを算出するステップと、
（ｅ）前記脈波データに基づいて、前記複数の脈波の各々の脈波間隔指標を算出するステップと、
（ｆ）前記算出された複数の脈波間隔指標に基づいて、前記脈波間隔指標のばらつきを算出するステップと、
（ｇ）前記特定された脈拍数と、前記算出された脈波振幅指標のばらつきと、前記算出された脈波間隔指標のばらつきとに基づいて、前記脈波データが心房細動を示しているかを判定するステップと、
を含み、コンピュータによって実行される。
【発明の効果】
【０００８】
本開示によれば、心房細動をより正確に検出することが可能な心房細動検出装置、心房細動検出方法を提供することができる。さらに、本開示によれば、当該心房細動検出方法をコンピュータに実行させるためのプログラム及び当該プログラムが記憶されたコンピュータ読取可能な記憶媒体を提供することができる。
【図面の簡単な説明】
【０００９】
【図１】本発明の実施形態（以下、単に本実施形態という。）に係る心房細動検出装置を示すハードウェア構成図である。
【図２】本実施形態に係る心房細動検出方法の一例を説明するためのフローチャートである。
【図３】脈拍数と、ピーク振幅値のばらつきと、ピーク間時間間隔のばらつきとを脈波解析結果表示領域に視覚的に表示するための方法の一例を説明するためのフローチャートである。
【図４】２次元座標系として表示された脈波解析結果表示領域を含む生体情報表示画面の一例を示す図である。
【図５】２次元座標系として表示された脈波解析結果表示領域を含む生体情報表示画面の一例を示す図である。
【図６】２次元座標系として表示された脈波解析結果表示領域を含む生体情報表示画面の一例を示す図である。
【発明を実施するための形態】
【００１０】
以下、本実施形態について図面を参照しながら説明する。尚、本実施形態の説明において既に説明された要素と同一の参照番号を有する要素については、説明の便宜上、その説明は省略する。
【００１１】
図１は、本実施形態に係る心房細動検出装置１のハードウェア構成図を示す。図１に示すように、心房細動検出装置１（以下、単に検出装置１という。）は、制御部２と、記憶部３と、ネットワークインターフェース４と、表示部５と、入力操作部６とを備える。これらはバス８を介して互いに通信可能に接続されている。
【００１２】
検出装置１は、バイタルデータのトレンドグラフやリストを表示するための医療用の専用装置（生体情報モニタ等）であってもよいし、例えば、パーソナルコンピュータ、ワークステーション、スマートフォン、ファブレット、タブレット、操作者（医療従事者）の身体（例えば、腕や頭部等）に装着されるウェアラブルデバイス（例えば、Ａｐｐｌｅ  Ｗａｔｃｈやスマートグラス等）であってもよい。
【００１３】
制御部２は、メモリとプロセッサを備えている。メモリは、コンピュータ可読命令（プログラム）を記憶するように構成されており、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)、ＭＰＵ（Ｍｉｃｒｏ  Ｐｒｏｃｅｓｓｉｎｇ  Ｕｎｉｔ）及び／又はＧＰＵ（Ｇｒａｐｈｉｃｓ  Ｐｒｏｃｅｓｓｉｎｇ  Ｕｎｉｔ）であって、ＲＯＭに組み込まれた各種プログラムから指定されたプログラムをＲＡＭ上に展開し、ＲＡＭとの協働で各種処理を実行するように構成されている。
【００１４】
特に、プロセッサが後述する心房細動検出方法を実行するための心房細動検出プログラムをＲＡＭ上に展開し、ＲＡＭとの協働で当該心房細動検出プログラムを実行することで、制御部２は、検出装置１の各種動作を制御してもよい。制御部２及び心房細動検出プログラムの詳細については後述する。
【００１５】
記憶部３は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＵＳＢフラッシュメモリ等の記憶装置（ストレージ）であって、プログラムや各種データを格納するように構成されている。記憶部３には、心房細動検出プログラムが組み込まれてもよい。また、心電図波形を表す心電図データや複数の脈波を表す脈波データが記憶部３に保存されていてもよい。心電図データは、図示しない心電図センサにより取得される。さらに、脈波データは、図示しない脈波センサにより取得される。取得された心電図データや脈波データは、通信ネットワークやＵＳＢメモリ等の記憶媒体を介して記憶部３に保存されてもよいし、心電図センサや脈波センサに接続されるセンサインターフェース（図示せず）を介して記憶部３に保存されてもよい。図４に示すように、心電図波形は、時間軸上に連続的に発生する心拍波形から構成される（心電図波形表示領域Ｒ１を参照）。また、複数の脈波は、時間軸上に連続的に発生する（脈波表示領域Ｒ２を参照）。
【００１６】
ネットワークインターフェース４は、検出装置１を通信ネットワークに接続するように構成されている。具体的には、ネットワークインターフェース４は、通信ネットワークを介してサーバ等の外部装置と通信するための各種有線接続端子や、無線接続のための各種処理回路を含んでおり、通信ネットワークを介して通信するための通信規格に適合するように構成されている。ここで、通信ネットワークは、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット等である。例えば、心房細動検出プログラムやバイタルデータ（心電図データや脈波データ）は、通信ネットワーク上に配置されたコンピュータからネットワークインターフェース４を介して取得されてもよい。
【００１７】
表示部５は、液晶ディスプレイ、有機ＥＬディスプレイ等の表示装置であってもよいし、操作者の頭部に装着される透過型又は非透過型のヘッドマウントディスプレイ等の表示装置であってもよい。例えば、図４〜６に示すように、生体情報表示画面１０が表示部５の表示画面上に表示される。
【００１８】
入力操作部６は、検出装置１を操作する操作者の入力操作を受付けると共に、当該入力操作に対応する指示信号を生成するように構成されている。入力操作部６は、例えば、表示部５上に重ねて配置されたタッチパネル、筐体に取り付けられた操作ボタン、マウス又はキーボード等である。入力操作部６によって生成された指示信号は、バス８を介して制御部２に送信されて、制御部２は、指示信号に応じて所定の処理を実行する。
【００１９】
次に、図２〜図４を参照して本実施形態に係る心房細動検出方法の一例について説明する。図２は、本実施形態に係る心房細動検出方法の一例を説明するためのフローチャートである。図３は、脈拍数と、ピーク振幅値ＡｐのばらつきＤａと、ピーク間時間間隔ＴｐのばらつきＤｔとを脈波解析結果表示領域Ｒ３（図４を参照）に視覚的に表示するための方法の一例を説明するためのフローチャートである。図４は、２次元座標系として表示された脈波解析結果表示領域Ｒ３を含む生体情報表示画面１０の一例を示す図である。
【００２０】
図２に示すように、最初に、制御部２は、所定の患者の脈波データを取得する（ステップＳ１０）。例えば、制御部２は、所定の患者の脈波データを記憶部３から取得してもよいし、通信ネットワーク上に配置された外部装置からネットワークインターフェース４を介して脈波データを取得してもよい。尚、制御部２は、ステップＳ１０において、所定の患者の脈波データと共に当該所定の患者の心電図データを取得してもよい。
【００２１】
次に、制御部２は、取得された脈波データに基づいて、所定の患者の脈拍数を特定する（ステップＳ１１）。ここで、脈拍数とは、１分間の動脈の拍動回数である。換言すれば、脈拍数とは、１分間に出現する脈波の数に相当する。制御部２は、周知の解析手法を用いることで脈波データから脈拍数を特定することができる。例えば、制御部２は、隣接する脈波間のピーク間時間間隔Ｔｐ（脈波間隔指標の一例）を複数取得した上で、複数のピーク間時間間隔Ｔｐの平均ピーク間時間間隔Ｔａｖを算出する。図４に示すように、ピーク間時間間隔Ｔｐとは、隣接する２つの脈波の一方のピーク点と他方のピーク点との間の時間間隔に相当する。その後、制御部２は、６０秒を平均ピーク間時間間隔Ｔａｖ［秒］で割った値（６０［秒］／Ｔａｖ［秒］）を脈拍数として算出することができる。
【００２２】
次に、制御部２は、取得された脈波データに基づいて、脈波データに含まれる複数（又は全て）の脈波の各々のピーク振幅値Ａｐ（脈波振幅指標の一例）を算出する（ステップＳ１２）。図４に示すように、ピーク振幅値Ａｐとは、脈波のピーク点の振幅値に相当する。その後、制御部２は、算出された複数のピーク振幅値Ａｐに基づいて、ピーク振幅値ＡｐのばらつきＤａを算出する（ステップＳ１３）。例えば、最初に、制御部２は、複数のピーク振幅値Ａｐの標準偏差σを算出すると共に、複数のピーク振幅値Ａｐの平均値Ａｐ_ａｖを算出する。次に、制御部２は、算出されたピーク振幅値Ａｐの標準偏差σをピーク振幅値Ａｐの平均値Ａｐ_ａｖで割ることで（標準偏差σ／平均値Ａｐ_ａｖ）、ピーク振幅値ＡｐのばらつきＤａを算出することができる。このように、標準偏差σを平均値Ａｐ_ａｖで割ることで、ばらつきＤａ（Ｄａ＜１）を正規化することが可能となる。
【００２３】
ステップＳ１４において、制御部２は、脈波データに含まれる複数（又は全て）のピーク間時間間隔Ｔｐ（脈波間隔指標の一例）を算出する。尚、ステップＳ１１において、複数のピーク間時間間隔Ｔｐに基づいて脈拍数が特定される場合、ステップＳ１４の処理はステップＳ１０で実行されてもよい。その後、制御部２は、算出された複数のピーク間時間間隔Ｔｐに基づいて、ピーク間時間間隔ＴｐのばらつきＤｔを算出する（ステップＳ１５）。例えば、最初に、制御部２は、複数のピーク間時間間隔Ｔｐの標準偏差σを算出すると共に、複数のピーク間時間間隔Ｔｐの平均値Ｔｐ_ａｖを算出する。次に、制御部２は、算出されたピーク間時間間隔Ｔｐの標準偏差σをピーク間時間間隔Ｔｐの平均値Ｔｐ_ａｖで割ることで（標準偏差σ／平均値Ｔｐ_ａｖ）、ピーク間時間間隔ＴｐのばらつきＤｔを算出することができる。このように、標準偏差σを平均値Ｔｐ_ａｖで割ることで、ばらつきＤｔ（Ｄｔ＜１）を正規化することが可能となる。
【００２４】
その後、ステップＳ１６において、制御部２は、特定された脈拍数が閾値ＰＲｔｈ（第１の閾値）を超えたかを判定する。閾値ＰＲｔｈは、入力操作部６に対する医療従事者の入力操作に応じて適宜変更されてもよい。閾値ＰＲｔｈは、例えば、１００（回／分）である。特定された脈拍数が閾値ＰＲｔｈを超えていると判定された場合（ステップＳ１６でＹＥＳ）、処理はステップＳ１７に進む。一方、特定された脈拍数が閾値ＰＲｔｈ以下であると判定された場合（ステップＳ１６でＮＯ）、処理はステップＳ２０に進む。ステップＳ２０では、制御部２は、所定の患者の脈波データは心房細動を示していないと判定する。この場合、制御部２は、所定の患者の脈波データは整脈（正常洞調律）又は心室性期外収縮を示していると判定してもよい。
【００２５】
次に、制御部２は、算出されたピーク振幅値ＡｐのばらつきＤａが閾値Ｄａ_ｔｈ（第２の閾値）を超えたか判定する（ステップＳ１７）。閾値Ｄａ_ｔｈは、入力操作部６に対する医療従事者の入力操作に応じて適宜変更されてもよい。Ｄａ_ｔｈは、例えば、０．２である。算出されたばらつきＤａが閾値Ｄａ_ｔｈを超えていると判定された場合（ステップＳ１７でＹＥＳ）、処理はステップＳ１８に進む。一方、算出されたばらつきＤａが閾値Ｄａ_ｔｈ以下であると判定された場合（ステップＳ１７でＮＯ）、処理はステップＳ２０に進む。
【００２６】
次に、制御部２は、算出されたピーク間時間間隔ＴｐのばらつきＤｔが閾値Ｄｔ_ｔｈ（第３の閾値）を超えたか判定する（ステップＳ１８）。閾値Ｄｔ_ｔｈは、入力操作部６に対する医療従事者の入力操作に応じて適宜変更されてもよい。Ｄｔ_ｔｈは、例えば、０．２である。算出されたばらつきＤｔが閾値Ｄｔ_ｔｈを超えていると判定された場合（ステップＳ１８でＹＥＳ）、処理はステップＳ１９に進む。ステップＳ１９では、制御部２は、所定の患者の脈波データは心房細動を示していると判定する。一方、算出されたばらつきＤｔが閾値Ｄｔ_ｔｈ以下であると判定された場合（ステップＳ１９でＮＯ）、処理はステップＳ２０に進む。
【００２７】
その後、ステップＳ２１において、制御部２は、判定結果を出力する。例えば、制御部２は、脈波データが心房細動を示していると判定した場合、図４に示す生体情報表示画面１０上に心房細動の疑いがある旨を表示してもよい。一方、制御部２は、脈波データが心房細動を示していないと判定した場合、生体情報表示画面１０上に心房細動の疑いがない旨を表示してもよい。特に、後述する生体情報表示画面１０中の脈波解析結果表示領域Ｒ３中に判定結果が表示されてもよい。
【００２８】
本実施形態によれば、ピーク振幅値ＡｐのばらつきＤａ及びピーク間時間間隔ＴｐのばらつきＤｔに加えて、脈拍数に基づいて脈波データが心房細動を示しているか判定されるので、心房細動をより正確に検出することが可能な検出装置１を提供することができる。この点において、従来では、脈波データが不整脈を示しているか判定することができる一方、脈波が心室性期外収縮を示しているか又は心房細動を示しているかを正確に判定できなかった。本実施形態では、脈拍数のパラメータを新たに追加することで、脈波データが心房細動を示しているを正確に判定することが可能となる。
【００２９】
また、本実施形態では、脈拍数が閾値ＰＲｔｈを超えており、ピーク振幅値ＡｐのばらつきＤａが閾値Ｄａ_ｔｈを超えており、且つピーク間時間間隔ＴｐのばらつきＤｔが閾値Ｄｔ_ｔｈを超えていると判定された場合（つまり、ステップＳ１６〜Ｓ１８の処理が全てＹＥＳの場合）、脈波データが心房細動を示していると判定される。このように、３つのパラメータのそれぞれに対して閾値判定が行われるので、心房細動をより正確に検出することができる。
【００３０】
図２に戻ると、ステップＳ２２において、制御部２は、特定された脈拍数と、ばらつきＤａ，Ｄｔとを脈波解析結果表示領域Ｒ３（図４参照）に視覚的に表示する。以下に、ステップＳ２２の処理の一例について図３〜図６を参照して説明する。
【００３１】
最初に、図４に示すように、表示部５に表示される生体情報表示画面１０は、心電図データに基づいてレンダリングされた心電図波形が表示される心電図波形表示領域Ｒ１と、脈波データに基づいてレンダリングされた複数の脈波が表示される脈波表示領域Ｒ２と、縦軸がばらつきＤａを示すと共に、横軸がばらつきＤｔを示す２次元座標系として構成された脈波解析結果表示領域Ｒ３とを含む。
【００３２】
次に、図３に示すように、最初に、制御部２は、特定された脈拍数に基づいて、脈波解析結果表示領域Ｒ３に表示される表示点Ｐの色を特定する（ステップＳ３０）。例えば、制御部２は、脈拍数が７０（回／分）より小さい場合（脈拍数＜７０）、表示点Ｐの色を第１の色（例えば、青色）に設定する。また、制御部２は、脈拍数が７０（回／分）以上であり１００（回／分）以下である場合（７０≦脈拍数≦１００）、表示点Ｐの色を第２の色（例えば、黄色）に設定する。さらに、制御部２は、脈拍数が１００（回／分）を超える場合（脈拍数＞１００）、表示点Ｐの色を第３の色（例えば、赤色）に設定する。
【００３３】
図４に示す例では、脈拍数は１０５であるため、制御部２は、表示点Ｐの色を第３の色に設定する。また、図５に示す例では、脈拍数は６３であるため、制御部２は、表示点Ｐの色を第１の色に設定する。さらに、図６に示す例では、脈拍数は７３であるため、制御部２は、表示点Ｐの色を第２の色に設定する。
【００３４】
次に、制御部２は、算出されたばらつきＤａ，Ｄｔに基づいて、脈波解析結果表示領域Ｒ３における表示点Ｐの座標を特定する（ステップＳ３１）。例えば、図４に示す例では、Ｄａ＝０．３であると共にＤｔ＝０．２１であるため、制御部２は、表示点Ｐの座標（Ｄｔ，Ｄａ）を（０．２１，０．３）に設定する。図５に示す例では、Ｄａ＝０．０１であると共にＤｔ＝０．０２であるため、制御部２は、表示点Ｐの座標を（０．０２，０．０１）に設定する。さらに、図６に示す例では、Ｄａ＝０．１９であると共にＤｔ＝０．１１であるため、制御部２は、表示点Ｐの座標を（０．１１，０．１９）に設定する。その後、制御部２は、表示点Ｐを脈波解析結果表示領域Ｒ３に表示する（ステップＳ３２）。
【００３５】
本実施形態によれば、ピーク振幅値ＡｐのばらつきＤａ及びピーク間時間間隔ＴｐのばらつきＤｔが一点として２次元座標系に視覚的に表示（可視化）される。さらに、脈拍数に基づいて２次元座標系に表示された表示点Ｐの色が特定される。このように、医療従事者は、検出装置１によって実行された判定結果が正しいかを直感的に確認することができる。
【００３６】
尚、脈波解析結果表示領域Ｒ３は、３次元座標系として視覚的に表示されてもよい。この場合、脈波解析結果表示領域Ｒ３は、第１軸が脈拍数を示し、第２軸がばらつきＤａを示し、第３軸がばらつきＤｔを示す３次元座標系（３次元座標空間）として構成される。さらに、制御部２は、特定された脈拍数と、算出されたばらつきＤａ，Ｄｔとを一点として３次元座標系（脈波解析結果表示領域Ｒ３）に視覚的に表示する。特に、制御部２は、特定された脈拍数と、算出されたばらつきＤａ，Ｄｔとに基づいて、脈波解析結果表示領域Ｒ３に表示される表示点Ｐの座標を特定する。このように、特定された脈拍数と、算出されたばらつきＤａ，Ｄｔとが一点として３次元座標系に視覚的に表示されるので、医療従事者は、検出装置１によって実行された判定結果が正しいかをより正確に確認することができる。尚、脈波解析結果表示領域Ｒ３が３次元座標として構成されている場合、脈波解析結果表示領域Ｒ３は生体情報表示画面１０中に表示されてもよいし、生体情報表示画面１０とは別個に設けられたウィンドウ画面中に表示されてもよい。
【００３７】
また、本実施形態に係る検出装置１をソフトウェアによって実現するためには、心房細動検出プログラムが記憶部３又はＲＯＭに予め組み込まれていてもよい。または、心房細動検出プログラムは、磁気ディスク（ＨＤＤ、フロッピーディスク）、光ディスク（ＣＤ−ＲＯＭ，ＤＶＤ−ＲＯＭ、Ｂｌｕ−ｒａｙディスク等）、光磁気ディスク（ＭＯ等）、フラッシュメモリ（ＳＤカード、ＵＳＢメモリ、ＳＳＤ等）等のコンピュータ読取可能な記憶媒体に格納されていてもよい。この場合、検出装置１に設けられたディスクドライブ等によって記憶媒体に格納された心房細動検出プログラムが読み込まれることで、当該心房細動検出プログラムが、記憶部３に組み込まれる。そして、記憶部３に組み込まれた当該プログラムがＲＡＭ上にロードされて、プロセッサがＲＡＭ上にロードされた当該プログラムを実行する。このように、図２に示す心房細動検出方法が実行される。
【００３８】
また、心房細動検出プログラムは、通信ネットワーク上のコンピュータからネットワークインターフェース４を介してダウンロードされてもよい。この場合も同様に、ダウンロードされた当該プログラムが記憶部３に組み込まれる。
【００３９】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００４０】
また、本実施形態では、脈波振幅指標の一例としてピーク振幅値Ａｐと脈波間隔指標の一例としてピーク間時間間隔Ｔｐについてそれぞれ説明したが、脈波間隔指標と脈波振幅指標は、それぞれピーク間時間間隔Ｔｐとピーク振幅値Ａｐに限定されるべきではない。
【００４１】
例えば、本実施形態では、脈波間隔指標の例として以下の指標を用いることができる。
・一の脈波の立ち上がる時点から一の脈波の切痕が生じる時点の間の時間間隔
・一の脈波の切痕が生じる時点から次の脈波の立ち上がる時点の間の時間間隔
・一の脈波の立ち上がる時点から次の脈波の立ち上がる時点の間の時間間隔
【００４２】
例えば、本実施形態では、脈波振幅指標の例として以下の指標を用いることができる。
・一の脈波の立ち上がる時点から次の脈波の立ち上がる時点の間における当該一の脈波の面積
・一の脈波の立ち上がる時点から一の脈波の切痕が生じる時点の間における当該一の脈波の面積
【符号の説明】
【００４３】
１：心房細動検出装置（検出装置）
２：制御部
３：記憶部
４：ネットワークインターフェース
５：表示部
６：入力操作部
８：バス
１０：生体情報表示画面
Ｒ１：心電図波形表示領域
Ｒ２：脈波表示領域
Ｒ３：脈波解析結果表示領域
【図１】
2018102518.tif 000003
【図２】
2018102518.tif 000004
【図３】
2018102518.tif 000005
【図４】
2018102518.tif 000006
【図５】
2018102518.tif 000007
【図６】
2018102518.tif 000008